(57)【要約】【課題】  虫除け剤を気化させるという化学的方法を用いることで、心理的に抵抗感を持つことなく、有効に虫除けが可能な携帯電話機を提供する。【解決手段】  虫除け用薬剤が封入された虫除け剤カートリッジ２００を携帯電話機１００のカートリッジスロット１００９に保持し、加熱モジュール１００９ａによってカートリッジ２００内の虫除け用薬剤を加熱することで、気化された虫除け用薬剤２００ｂを外部に散布する。また、虫除け用薬剤が封入された虫除け剤カートリッジ２００をカートリッジスロット１００９に保持し、マイク１００７により集音された音を監視して虫が発する音を検知する。そして、虫が発する音が検知された場合には、同様に加熱モジュール１００９ａによって虫除け剤カートリッジ２００内の薬剤を加熱することで気化された虫除け用薬剤を外部に散布する。【選択図】          図４
2005150828.tif 000002
【特許請求の範囲】
【請求項１】
虫除け用薬剤が封入されたカートリッジを保持するカートリッジ保持部と、前記カートリッジ内の薬剤を加熱し、気化された虫除け用薬剤を散布する手段とを備えたことを特徴とする携帯電話機。
【請求項２】
虫除け用薬剤が封入されたカートリッジを保持するカートリッジ保持部と、マイク部により集音された音を監視して虫が発する音を検知する手段と、前記検知手段により虫が発する音が検知された時に前記カートリッジ内の薬剤を加熱し、気化された虫除け用薬剤を散布する手段とを備えたことを特徴とする携帯電話機。
【請求項３】
更に、携帯電話機が外気に触れる状態にあることを検知する手段を含み、前記散布手段は携帯電話機が外気に触れる状態にある場合のみ虫除け用薬剤を散布することを特徴とする請求項２に記載の携帯電話機。
【請求項４】
前記加熱手段による加熱累積時間と予め設定された基準値とを比較することによって、前記カートリッジ内の虫除け用薬剤の残量が無くなったことを検知する手段を有することを特徴とする請求項１〜３のいずれか１項に記載の携帯電話機。
【請求項５】
前記累積時間はカートリッジを交換する毎にリセットされることを特徴とする請求項４に記載の携帯電話機。
【請求項６】
前記検知手段によりカートリッジ内の虫除け用薬剤が無くなったことが検知された場合には、表示パネルに虫除け用薬剤が無くなったことを警告表示すると共に、予め設定された音によって虫除け用薬剤が無くなったことを報知することを特徴とする請求項５に記載の携帯電話機。
【請求項７】
通話中には前記加熱手段への通電を中止することを特徴とする請求項１〜６のいずれか１項に記載の携帯電話機。
【請求項８】
前記通話中には、更に、薬剤を散布する散布孔を閉じることを特徴とする請求項７に記載の携帯電話機。
【発明の詳細な説明】
【技術分野】
【０００１】
本発明は、虫除け機能を有する携帯電話機に関するものである。
【背景技術】
【０００２】
従来、携帯電話機は様々な場所で使用され、蚊や蚋等が生息する場所で使用されることがある。特に、夏場に夜間で屋外等で携帯電話機等を使用する場合には、蚊等による虫刺されが発生し、不愉快な思いをすることが多い。そこで、蚊等による虫刺されを防ぐため、例えば、特開２００１−２０３７８４号公報には、携帯電話機のスピーカを利用して蚊の嫌がる音を発生させる方法が提案されている（特許文献１参照）。
【特許文献１】特開２００１−２０３７８４号公報
【発明の開示】
【発明が解決しようとする課題】
【０００３】
特許文献１の方法では，高周波の蚊の嫌がる音を発生させるので、人によっては心理的に抵抗感を持つ場合があった。そのため、誰にでも快適に蚊等による虫刺されを防止できるとは言い難かった。
【０００４】
本発明は、上記従来の問題点に鑑みなされたもので、その目的は、虫除け剤を気化させるという化学的方法を用いることで、心理的に抵抗感を持つことなく、有効に虫除けが可能な携帯電話機を提供することにある。
【課題を解決するための手段】
【０００５】
本発明は、上記目的を達成するため、虫除け用薬剤が封入されたカートリッジを保持するカートリッジ保持部と、前記カートリッジ内の薬剤を加熱し、気化された虫除け用薬剤を散布する手段とを備えたことを特徴とする。
【０００６】
また、本発明は、虫除け用薬剤が封入されたカートリッジを保持するカートリッジ保持部と、マイク部により集音された音を監視して虫が発する音を検知する手段と、前記検知手段により虫が発する音が検知された時に前記カートリッジ内の薬剤を加熱し、気化された虫除け用薬剤を散布する手段とを備えたことを特徴とする。
【発明の効果】
【０００７】
本発明によれば、カートリッジ内に虫除け用薬剤を内蔵し、それを加熱して気化させるという方法で虫除け用薬剤を散布するため、高周波の音のような抵抗感が無く、使用者は使い慣れており、抵抗感なく虫刺されを防止することができる。
【発明を実施するための最良の形態】
【０００８】
次に、発明を実施するための最良の形態について図面を参照して詳細に説明する。図１は本発明による携帯電話機の一実施形態の外観を示す斜視図である。まず、図１に示すように本実施形態による携帯電話機１００には、虫除け剤カートリッジ２００を挿入するカートリッジスロット１００９（図２、図３参照）や後述するように虫除け用薬剤を外部に散布するためのカートリッジスリット１００９ｂが設けられている。カートリッジ２００は交換可能で虫除け用薬剤が無くなると、使用者に報知して交換するものである。
【０００９】
また、携帯電話機１００には、文字や画像等をカラー表示する表示パネル１００５、複数のキーから成る操作部１００８等が設けられている。カートリッジスロット１００９は虫除け剤カートリッジ２００を格納保持するものである。虫除け剤カートリッジ２００には、蚊、蚋等人体を刺してかゆみ等をもたらす害虫を退ける効果を持つ薬剤が密封されている。この薬剤としては、一般に使用されている加熱によって気化する虫除け用薬剤を用いるものとする。
【００１０】
図２は携帯電話機１００の内部構成を示すブロック図である。図２において、１００１は携帯電話機１００の各部を制御する制御部、１００２は携帯電話機１００内の各部に電力を供給する電源である。また、１００３は携帯電話機１００と基地局との無線通信ややり取りを制御する無線部、１００４は携帯電話機１００を動作させるプログラムやプログラムが処理するデータ或いは携帯電話機１００の設定内容を記憶する記憶部、１００５は文字や静止画及び動画等をカラー表示する表示パネルである。
【００１１】
更に、１００６は着信者が発信者の声を聴くためのレシーバ、１００７は携帯電話機１００の発信者の声等を取り込むためのマイク、１００８は電話番号、文字の入力や携帯電話機１００を操作をするためのキー（操作部）である。１００９は図１で説明したように虫除け剤カートリッジ２００を格納保持するカートリッジスロットである。携帯電話機２００内には、カートリッジスロット１００９内の薬剤を加熱する加熱モジュール１００９ａが設けられている。加熱モジュール１００９ａとしては、ヒータ等が用いられる。
【００１２】
図３はカートリッジスロット１００９内の虫除け剤カートリッジ２００の構成例を示す図である。カートリッジスロット１００９は虫除け剤カートリッジ２００の薬剤を過熱する過熱モジュール１００９ａと、過熱モジュール１００９ａの加熱により気化した虫除け剤カートリッジ２００の薬剤２００ｂを携帯電話機１００の筐体外部に散布するためのカートリッジスリット１００９ｂと、虫除け剤カートリッジ２００をカートリッジスロット１００９内部に保持するためのカバー１００９ｃから構成されている。
【００１３】
過熱モジュール１００９ａは制御部１００１によって制御され、電池１００２から過熱モジュール１００９ａに通電することで虫除け用薬剤が加熱され、スリット１００９ｂから外部に散布する構成となっている。その際、発生する熱が携帯電話機１００の使用者に伝導しないようにカートリッジスロット１００９は断熱材を使用している。また、虫除け剤カートリッジ２００には、カートリッジスロット１００９に挿入する際に過熱モジュール１００９ａと接するところに接触部２００ａが設けられており、カートリッジ２００をカートリッジスロット１００９に装着する場合には、接触部２００ａが加熱モジュール１００９ａに接触し、その際の接触部２００ａの電気信号によって制御部１００１はカートリッジ２００の携帯電話機１００への装着を検知する。
【００１４】
また、接触部２００ａとしては導電性で熱伝導の良い材料が用いられている。更に、接触部２００ａとしては加熱によって気化した薬剤が接触部２００ａを通してカートリッジ２００の外部に放出されるように一部又は全部にある程度の通気性を有する。カートリッジ２００内の薬剤２００ｂは加熱モジュール１００９ａから接触部２００ａを介して加熱され、その加熱によって気化した薬剤２００ｂは図３に示すように接触部２００ａを通して虫除け剤カートリッジ２００から放出され、更に、スリット１００９ｂを通って携帯電話機１００の外部に散布される。
【００１５】
本実施形態による携帯電話機１００は、記憶部１００４に格納されたプログラムや設定内容に基づいてキー１００９による操作により制御部１００１はレシーバ１００７、マイク１００８、無線部１００３等を制御して通話を可能にする。また、無線部１００３が音声以外のデータを受信した場合には、制御部１００１は一旦記憶部１００４にデータを格納し、適当なデータ形式に変換してから文字や画像のデータなら表示パネル１００５に出力表示する。更に、記憶部１００４に格納されたプログラムによりキー１００９からの入力内容を記憶部１００４に格納し、制御部１００１による処理結果を表示パネル１００５に出力表示する。
【００１６】
図４は本実施形態による虫除け機能を実行する制御部１００１の制御動作を示すフローチャートである。このフローチャートは制御プログラムとして記憶部１００４に格納されており、キー１００８による操作で虫除け機能の実行が指示されると、制御部１００４はこのプログラムを読み出して実行するものである。
【００１７】
図４において、まず、携帯電話機１００の使用者は虫除け機能を実行したい場合には、キー１００８の操作で表示パネル１００５に虫除け機能のメニュー画面を呼び出す（Ｓ１０１）。次いで、使用者はキー１００８の操作によりメニューから虫除け機能の実行を選択する（Ｓ１０２）。その際、制御部１００１は上述のように加熱モジュール１００９ａに虫除け剤カートリッジ２００の接触部２００ａが接触しているかを接触部２００ａの電気信号を検知することでカートリッジ２００が装着されているかどうかを検知する（Ｓ１０３）。
【００１８】
この時、虫除け剤カートリッジ２００が携帯電話機１００のカートリッジスロット１００９に装着されていない場合には、制御部１００１は表示パネル１００５上に虫除け剤カートリッジ２００が装着されていないという警告メッセージを表示して（Ｓ１０４）、虫除け剤カートリッジ２００の交換を要求し、その後、加熱モジュール１００９ａへの電源供給を停止して（Ｓ１０５）、虫除け機能のプログラムを終了する。
【００１９】
一方、カートリッジ２００がカートリッジカロット１００９に装着されている場合には、制御部１００１は加熱モジュール１００９ａに電源を供給するように制御を行い、加熱モジュール１００９ａに通電を行う（Ｓ１０６）。また、制御部１００１は虫除け剤カートリッジ２００内の薬剤が十分残っているかどうかを監視しており（Ｓ１０７）、薬剤の残量が少ない場合には、表示パネル１００５に警告メッセージを表示して（Ｓ１０４）、カートリッジ２００の交換を要求し、その後、加熱モジュール１００９ａへの通電を停止して（Ｓ１０５）、虫除け機能のプログラムを終了する。
【００２０】
虫除け薬剤の残量を検知するには、例えば、加熱モジュール１００９ａへの累積通電時間を計測し、その累積通電時間と予め設定された基準値、即ち、薬剤の残量が無くなる場合の基準値と比較することで、薬剤の残量が無くなったことを検知する。その際、カートリッジ２００を交換する時には累積通電時間はゼロにリセットされ、それから通電時間を計測する。また、接触部２００ａから散布された気化した薬剤の濃度を検知し、それと基準値を比較することによっても薬剤の残量が無くなったことを検知できる。
【００２１】
一方、虫除け剤カートリッジ２００内の薬剤が十分残っている場合には、そのまま過熱モジュール１００９ａに電源を供給し続け、薬剤の散布を行う。また、使用者が虫除け機能を中止したい場合には（Ｓ１０８）、キー１００８の操作で表示パネル１００５に虫除け機能のメニュー画面を呼び出し（Ｓ１０９）、キー１００８の操作によりメニューから虫除け機能の中止を選択する（Ｓ１１０）。この操作を受けて、制御部１００１は過熱モジュール１００９ａへの電源供給を停止し（Ｓ１０５）、虫除け機能のプログラムを終了する。
【００２２】
ここで、図４においては使用者の操作により加熱モジュール１００９ａへの通電を行うと説明したが、この限りではない。例えば、マイク１００７から集音された音を制御部１００１が解析し、蚊等の虫が発する音（飛ぶ音）を検知した場合には、自動的に加熱モジュール１００９ａに通電して虫除けを行っても良い。蚊等の虫が発する音であるかどうかを検知するには、例えば、音の周波数によって検知する方法がある。
【００２３】
また、このように薬剤を自動的に散布する場合には、携帯電話機１００が外気に触れる状態にあること、即ち、鞄やポケット内にないことを検知し、外気に触れる状態にある場合のみ薬剤を自動散布するのが良い。携帯電話機１００が外気に触れる状態にあるかどうかを検知する方法としては、例えば、光センサを用いて光を検知すれば外気に触れる状態にあると検知することが可能である。
【００２４】
但し、この方法は、夜間には使用できないので、一般に使用されている投光部と受光部を有するセンサ、即ち、投光部から変調がかけられた光を投光し、その光にのみ反応する受光部を有するセンサを用いるのが良い。このセンサを用いることにより、携帯電話機が鞄やポケット内にある場合には、それらで反射した光を受光部で検知するので外気に触れる状態にないと判断し、外気に触れる状態にある場合には、受光部は光を受光しないので携帯電話機は外気に触れる状態にあると判断することができる。
【００２５】
また、カートリッジ２００内の薬剤の残量が無くなった場合には、表示パネル１００５に警告表示すると説明したが、この限りではない。例えば、この警告表示と共に使用者により音色等を設定可能な着信音等で報知しても良い。
【００２６】
更に、携帯電話機１００の使用中には、加熱モジュール１００９ａへの通電を停止し、虫除け剤の散布を中止しても良い。その際、虫除け剤の散布孔であるスリット１００９ｂを開閉自在に構成し、スリット１００９ｂを閉じるのが望ましい。そうすることで、使用者が薬剤を吸い込まないようにすることができる。
【図面の簡単な説明】
【００２７】
【図１】本発明による携帯電話機の一実施形態を示す斜視図である。
【図２】本発明による携帯電話機の一実施形態を示すブロック図である。
【図３】カートリッジスロット内の虫除け剤カートリッジを示す断面図である。
【図４】図１の実施形態の虫除け動作を示すフローチャートである。
【符号の説明】
【００２８】
１００   携帯電話機
２００  虫除け剤カートリッジ
２００ａ  接触部
２００ｂ  気化した薬剤
１００１  制御部
１００２  電源
１００３  無線部
１００４  記憶部
１００５  表示パネル
１００６  レシーバ
１００７  マイク
１００８  キー（操作部）
１００９  カートリッジスロット
１００９ａ  過熱モジュール
１００９ｂ  カートリッジスリット
１００９ｃ  カバー
【図１】
2005150828.tif 000003
【図２】
2005150828.tif 000004
【図３】
2005150828.tif 000005
【図４】
2005150828.tif 000006